(57)【要約】【課題】波形拡縮操作によって任意の信号波形を短時間でしかも容易に表示させる。【解決手段】波形表示領域に信号波形を表示させると共に、波形表示領域内に規定した基点を中心として信号波形を操作内容に応じて時間軸方向に沿って拡大または縮小する波形拡縮処理５０に際して、基点指定操作（ファンクションスイッチ３１ａ〜３１ｅの操作）が行われた後に波形拡縮操作（縮小スイッチ３３ｄ、拡大スイッチ３３Ｕの操作）が行われたときに（ステップ５１）、基点指定操作によって指定された位置を基点として規定して（ステップ５３）波形拡縮操作の内容に応じて波形拡縮処理を実行し（ステップ５５，５６）、基点指定操作が行われることなく波形拡縮操作が行われたときに（ステップ５１）、予め規定された基準位置を基点として規定して（ステップ５２）波形拡縮操作の内容に応じて波形拡縮処理を実行する（ステップ５５，５６）。【選択図】図３
2011145239.tif 000002
【特許請求の範囲】
【請求項１】
波形表示領域に信号波形を表示させると共に、当該波形表示領域内に規定した基点を中心として当該信号波形を操作信号に応じて時間軸方向に沿って拡大または縮小する波形拡縮処理を実行する制御部を備えた波形表示装置であって、
前記制御部は、基点指定操作が行われて当該基点指定操作に対応する前記操作信号が出力された後に波形拡縮操作が行われて当該波形拡縮操作に対応する前記操作信号が出力されたときに、当該基点指定操作によって指定された位置を前記基点として規定して当該波形拡縮操作の内容に応じて前記波形拡縮処理を実行し、前記基点指定操作に対応する前記操作信号が出力されることなく前記波形拡縮操作に対応する前記操作信号が出力されたときに、予め規定された基準位置を前記基点として規定して当該波形拡縮操作の内容に応じて前記波形拡縮処理を実行する波形表示装置。
【請求項２】
前記制御部は、前記基点指定操作に対応する前記操作信号が出力された後に前記波形拡縮操作に対応する前記操作信号が出力されたときに、当該基点指定操作によって指定された位置を前記基点として前記波形拡縮処理を実行すると共に、当該指定された位置の前記信号波形が前記基準位置に位置するように当該信号波形を当該時間軸方向に沿ってスクロールさせる請求項１記載の波形表示装置。
【請求項３】
波形表示領域に信号波形を表示させると共に、当該波形表示領域内に規定した基点を中心として当該信号波形を操作内容に応じて時間軸方向に沿って拡大または縮小する波形拡縮処理を実行する波形表示方法であって、
基点指定操作が行われた後に波形拡縮操作が行われたときに、当該基点指定操作によって指定された位置を前記基点として規定して当該波形拡縮操作の内容に応じて前記波形拡縮処理を実行し、前記基点指定操作が行われることなく前記波形拡縮操作が行われたときに、予め規定された基準位置を前記基点として規定して当該波形拡縮操作の内容に応じて前記波形拡縮処理を実行する波形表示方法。
【請求項４】
前記基点指定操作が行われた後に前記波形拡縮操作が行われたときに、当該基点指定操作によって指定された位置を前記基点として前記波形拡縮処理を実行すると共に、当該指定された位置の前記信号波形が前記基準位置に位置するように当該信号波形を当該時間軸方向に沿ってスクロールさせる請求項３記載の波形表示方法。
【発明の詳細な説明】
【技術分野】
【０００１】
本発明は、波形表示領域に信号波形を表示させる波形表示装置および波形表示方法に関するものである。
【背景技術】
【０００２】
この種の波形表示方法に従って波形表示領域に信号波形を表示する波形表示装置として、電圧や温度等の測定データに基づいて特性曲線を表示させる測定データ表示装置が特開２０００−１０５３８号公報に開示されている。この測定データ表示装置では、表示制御部が、メモリに記憶された測定データに基づく特性曲線を表示画面の特性曲線表示領域に表示させる。この場合、この測定データ表示装置では、特性曲線を拡大・縮小するズームキー、および特性曲線の表示位置を移動させる（スクロールさせる）スクロールバーが特性曲線表示領域の下部に表示され、入力部を介してこれらが操作されたときに、表示制御部が、操作内容に応じて特性曲線を表示替えする。具体的には、ズームキーが操作されたときには、特性曲線表示領域に表示させている特性曲線を拡大または縮小する。また、スクロールバーが操作されたとき（スライド操作されたとき）には、特性曲線表示領域に表示させている特性曲線をスクロールバーの操作方向にスクロールさせる。これにより、所望の表示態様で特性曲線表示領域に特性曲線が表示される。
【先行技術文献】
【特許文献】
【０００３】
【特許文献１】特開２０００−１０５３８号公報（第３−４頁、第２−５図）
【発明の概要】
【発明が解決しようとする課題】
【０００４】
ところが、従来の測定データ表示装置には、以下の問題点が存在する。すなわち、従来の測定データ表示装置では、ズームキーの操作によって特性曲線（信号波形）を拡大または縮小すると共に、スクロールバーの操作によって特性曲線（信号波形）をスクロールさせる構成が採用されている。この場合、この種の表示装置では、信号波形（特性曲線）を時間軸方向に沿って拡大または縮小する波形拡縮処理に際して、波形表示領域（特性曲線表示領域）における時間軸方向の中央部が基点として規定され、この基点を中心として信号波形を拡大または縮小する構成が一般的となっている。具体的には、従来の測定データ表示装置では、図７に示すように、波形表示領域１１内に信号波形Ｗを表示させた状態において、例えば、信号波形Ｗにおける位置Ｐ１の近傍を詳細に観察するときには、拡大処理の実行を指示するズームキーを操作する。この際には、波形表示領域１１における時間軸方向（同図における左右方向）の中央部である位置Ｐ０を中心として波形拡縮処理が実行され、図８に示すように、信号波形Ｗが時間軸方向に沿って拡大して表示される。
【０００５】
この場合、位置Ｐ０（中央部）を中心として信号波形Ｗを拡大する構成が採用されている従来の測定データ表示装置では、拡大前の信号波形Ｗにおける時間軸方向の中央部（信号波形Ｗを拡大する中心とする基点の近傍）については、拡大後においても所望の拡大率で拡大されて波形表示領域１１内に表示される。しかしながら、拡大前の信号波形Ｗにおける時間軸方向の両端部（基点から大きく離間している部位）については、信号波形Ｗの拡大に伴って波形表示領域１１内に表示されずに非表示となる。このため、拡大前の信号波形Ｗにおける位置Ｐ１（図７参照）を観察するために信号波形Ｗを拡大したにも拘わらず、この位置Ｐ１が拡大前の信号波形Ｗにおける左端部寄りの位置であることに起因して、図８に示すように、位置Ｐ１近傍の信号波形Ｗが非表示となってしまう。この場合、非表示となった位置Ｐ１近傍の信号波形Ｗを波形表示領域１１内に表示させるには、スクロールバーの操作によって信号波形Ｗを時間軸方向に沿ってスクロールさせる必要がある。このため、従来の測定データ表示装置には、信号波形Ｗにおける任意の位置を拡大して表示させる一連の操作が煩雑となっているという問題点がある。
【０００６】
また、この種の装置の操作に不慣れな利用者にとっては、信号波形Ｗの拡大に伴って非表示となった位置Ｐ１が、拡大後において波形表示領域１１に表示されている信号波形Ｗの左方および右方のいずれの方向に存在するのかを特定するのが困難となっている。このため、従来の測定データ表示装置では、拡大に伴って非表示となった位置Ｐ１近傍の信号波形Ｗを波形表示領域１１内に表示させるために、スクロールバーをいずれの向きに操作すればよいのかを特定すること自体が困難となるおそれがある。
【０００７】
一方、図７に示すように、波形表示領域１１内に信号波形Ｗを表示させた状態（一例として、所定時間分の測定データに基づく信号波形Ｗのうちの測定終了間際の信号波形Ｗを位置Ｐ２から位置Ｐ３まで表示させた状態）において、既に表示されている信号波形Ｗと、信号波形Ｗにおける位置Ｐ２に対応する測定時刻よりも前に測定された測定データに対応する信号波形Ｗとを同時に観察するときには、縮小処理の実行を指示するズームキーを操作する。この際には、波形表示領域１１における時間軸方向（同図における左右方向）の中央部である位置Ｐ０を中心として波形拡縮処理が実行され、図９に示すように、信号波形Ｗが時間軸方向に沿って縮小して表示される。
【０００８】
この場合、位置Ｐ０（中央部）を中心として信号波形Ｗを縮小する構成が採用されている従来の測定データ表示装置では、信号波形Ｗの縮小に伴い、縮小前に波形表示領域１１に表示されていた信号波形Ｗよりも前に測定された測定データに対応する信号波形Ｗ、および縮小前に波形表示領域１１に表示されていた信号波形Ｗよりも後に測定された測定データに対応する信号波形Ｗの双方が同程度だけ波形表示領域１１内に表示されることとなる。しかしながら、この例では、縮小前に波形表示領域１１に表示されていた信号波形Ｗにおける位置Ｐ３に対応する測定時刻よりも後の測定データが存在しないため、縮小後の波形表示領域１１における右半分に信号波形Ｗが表示されない状態を招いてしまう。このため、貴重な表示領域を有効活用するために、十分に長い時間分の信号波形Ｗを波形表示領域１１内に表示させるには、スクロールバーの操作によって信号波形Ｗを時間軸方向に沿って（この例では、右向きに）スクロールさせる必要がある。したがって、従来の測定データ表示装置には、任意の時間分の信号波形Ｗを縮小して表示させる一連の操作が煩雑となっているという問題点がある。
【０００９】
本発明は、かかる問題点に鑑みてなされたものであり、波形拡縮操作によって任意の信号波形を短時間でしかも容易に表示させ得る波形表示装置および波形表示方法を提供することを主目的とする。
【課題を解決するための手段】
【００１０】
上記目的を達成すべく請求項１記載の波形表示装置は、波形表示領域に信号波形を表示させると共に、当該波形表示領域内に規定した基点を中心として当該信号波形を操作信号に応じて時間軸方向に沿って拡大または縮小する波形拡縮処理を実行する制御部を備えた波形表示装置であって、前記制御部が、基点指定操作が行われて当該基点指定操作に対応する前記操作信号が出力された後に波形拡縮操作が行われて当該波形拡縮操作に対応する前記操作信号が出力されたときに、当該基点指定操作によって指定された位置を前記基点として規定して当該波形拡縮操作の内容に応じて前記波形拡縮処理を実行し、前記基点指定操作に対応する前記操作信号が出力されることなく前記波形拡縮操作に対応する前記操作信号が出力されたときに、予め規定された基準位置を前記基点として規定して当該波形拡縮操作の内容に応じて前記波形拡縮処理を実行する。
【００１１】
また、請求項２記載の波形表示装置は、請求項１記載の波形表示装置において、前記制御部が、前記基点指定操作に対応する前記操作信号が出力された後に前記波形拡縮操作に対応する前記操作信号が出力されたときに、当該基点指定操作によって指定された位置を前記基点として前記波形拡縮処理を実行すると共に、当該指定された位置の前記信号波形が前記基準位置に位置するように当該信号波形を当該時間軸方向に沿ってスクロールさせる。
【００１２】
また、請求項３記載の波形表示方法は、波形表示領域に信号波形を表示させると共に、当該波形表示領域内に規定した基点を中心として当該信号波形を操作内容に応じて時間軸方向に沿って拡大または縮小する波形拡縮処理を実行する波形表示方法であって、基点指定操作が行われた後に波形拡縮操作が行われたときに、当該基点指定操作によって指定された位置を前記基点として規定して当該波形拡縮操作の内容に応じて前記波形拡縮処理を実行し、前記基点指定操作が行われることなく前記波形拡縮操作が行われたときに、予め規定された基準位置を前記基点として規定して当該波形拡縮操作の内容に応じて前記波形拡縮処理を実行する。
【００１３】
さらに、請求項４記載の波形表示方法は、請求項３記載の波形表示方法において、前記基点指定操作が行われた後に前記波形拡縮操作が行われたときに、当該基点指定操作によって指定された位置を前記基点として前記波形拡縮処理を実行すると共に、当該指定された位置の前記信号波形が前記基準位置に位置するように当該信号波形を当該時間軸方向に沿ってスクロールさせる。
【発明の効果】
【００１４】
請求項１記載の波形表示装置、および請求項３記載の波形表示方法では、基点指定操作が行われた後に波形拡縮操作が行われたときに、基点指定操作によって指定された位置を基点として規定して、規定した基点を中心として信号波形を波形拡縮操作の内容に応じて時間軸方向に沿って拡大または縮小する波形拡縮処理を実行し、基点指定操作が行われることなく波形拡縮操作が行われたときに、予め規定された基準位置を基点として規定して、規定した基点を中心として波形拡縮操作の内容に応じて波形拡縮処理を実行する。
【００１５】
したがって、請求項１記載の波形表示装置、および請求項３記載の波形表示方法によれば、波形表示領域に表示されている信号波形のうちの任意の部位を詳細に観察するために信号波形を拡大表示させる際に、基点として規定すべき位置として、信号波形における所望の部位の近傍の位置を指定しておくだけで、信号波形の拡大後に信号波形における所望の部位が非表示となることなく、波形表示領域内に拡大して表示されるため、波形拡縮操作の後に所望の部位を表示させるスクロール操作を行うことなく、所望の部位についての観察を短時間でしかも容易に開始することができる。また、所定時間分の信号波形のうちの測定開始直後、または測定終了直前に測定したデータに基づく信号波形を波形表示領域に表示させている状態において信号波形を縮小表示させる際に、基点として規定すべき位置として、信号波形における時間軸方向の両端部のうちのいずれかの端部寄りの位置を指定しておくだけで、信号波形の縮小後に波形表示領域における時間軸方向の前半部位および後半部位に信号波形が殆ど表示されない状態を招くことなく、十分に長い時間分の信号波形を波形表示領域に表示させることができるため、波形拡縮操作の後にスクロール操作を行うことなく、貴重な表示領域を有効活用して信号波形を表示させることができる。したがって、この波形表示装置および波形表示方法によれば、波形拡縮操作によって任意の信号波形を短時間でしかも容易に表示させることができる。
【００１６】
請求項２記載の波形表示装置、および請求項４記載の波形表示方法によれば、基点指定操作が行われた後に波形拡縮操作が行われたときに、基点指定操作によって指定された位置を基点として波形拡縮処理を実行すると共に、指定された位置の信号波形が基準位置に位置するように信号波形を時間軸方向に沿ってスクロールさせることにより、基点指定操作の後に行った波形拡縮操作による信号波形の拡大量または縮小量が所望の量とは相違するときに、基点として規定する位置を改めて指定する基点指定操作を実行することなく、波形拡縮操作を実行して所望の拡大量または縮小量となるように信号波形を拡大または縮小することができる。
【図面の簡単な説明】
【００１７】
【図１】波形表示装置１の構成を示すブロック図である。
【図２】信号波形表示画面１０の波形表示領域１１内に信号波形Ｗを表示させた状態の波形表示装置１の正面図である。
【図３】波形拡縮処理５０のフローチャートである。
【図４】図２に示す信号波形Ｗを位置Ｐｂを基点として規定して拡大した状態の波形表示装置１の正面図である。
【図５】図２に示す信号波形Ｗを位置Ｐｅを基点として規定して縮小した状態の波形表示装置１の正面図である。
【図６】図２に示す信号波形Ｗを位置Ｐｂを基点として規定して拡大すると共に、その基点の近傍の信号波形Ｗを位置Ｐｃに位置させるように信号波形Ｗをスクロールさせた状態の波形表示装置１の正面図である。
【図７】従来の測定データ表示装置における波形表示領域（特性曲線表示領域）に信号波形Ｗ（特性曲線）を表示させた状態の表示画面図である。
【図８】図７に示す信号波形Ｗを位置Ｐ０を基点として拡大した状態の表示画面図である。
【図９】図７に示す信号波形Ｗを位置Ｐ０を基点として縮小した状態の表示画面図である。
【発明を実施するための形態】
【００１８】
以下、波形表示装置および波形表示方法の実施の形態について、添付図面を参照して説明する。
【００１９】
図１に示す波形表示装置１は、測定部２、操作部３、表示部４、制御部５および記憶部６を備え、後述する波形表示方法に従って表示部４に信号波形Ｗ（図２参照）を表示可能に構成されている。測定部２は、制御部５の制御に従い、入力信号Ｓｉについての電気的パラメータ（一例として、電圧値）を測定して測定データＤ（波形データ）を生成し、生成した測定データＤを制御部５に出力する。なお、信号波形を表示する電気的パラメータは電圧値に限定されるものではなく、電流値や位相等の各種パラメータについて、その信号波形を表示させる構成および方法を採用することができる。操作部３は、波形表示装置１の動作条件を設定するための操作スイッチや、測定データＤの記録を開始／終了するためのスタートスイッチおよびストップスイッチ等の各種操作スイッチ（図示せず）を備えると共に、図２に示すように、ファンクションスイッチ３１ａ〜３１ｅ、スクロールスイッチ３２Ｌ，３２Ｒ、縮小スイッチ３３Ｄおよび拡大スイッチ３３Ｕを備え、これらの操作に応じた操作信号Ｓ１を制御部５に出力する。
【００２０】
この場合、ファンクションスイッチ３１ａ〜３１ｅは、波形表示装置１の動作状態に応じて各種の機能が割り付けられる操作スイッチであって、この波形表示装置１では、表示部４に信号波形表示画面１０（図２参照）を表示させているときに、信号波形Ｗを拡大または縮小する中心として規定する基点を指定するための機能（「基点指定操作」を実行するための機能）が割り付けられる。具体的には、ファンクションスイッチ３１ａ〜３１ｅには、信号波形表示画面１０内に規定された波形表示領域１１における時間軸方向（この例では、左右方向）の位置Ｐａ〜Ｐｅを基点として指定する機能がそれぞれ割り付けられる。なお、ファンクションスイッチ３１ａ〜３１ｅのように各種の機能が割り付けられる操作スイッチに「基点指定操作」を実行するための機能を割り付ける構成に限定されず、「基点指定操作」を実行するための専用の操作スイッチを設けることもできる。
【００２１】
また、スクロールスイッチ３２Ｌ，３２Ｒは、信号波形Ｗをスクロールさせるための操作スイッチであって、スクロールスイッチ３２Ｌの操作によって信号波形Ｗを左向きにスクロールさせる「スクロール処理」の実行を指示する操作信号Ｓ１が出力され、スクロールスイッチ３２Ｒの操作によって信号波形Ｗを右向きにスクロールさせるスクロール処理の実行を指示する操作信号Ｓ１が出力される。さらに、縮小スイッチ３３Ｄおよび拡大スイッチ３３Ｕは、「波形拡縮操作」を実行するための操作スイッチであって、縮小スイッチ３３Ｄの操作によって信号波形Ｗを縮小する波形拡縮処理の実行を指示する操作信号Ｓ１が出力され、拡大スイッチ３３Ｕの操作によって信号波形Ｗを拡大する波形拡縮処理の実行を指示する操作信号Ｓ１が出力される。
【００２２】
表示部４は、一例として液晶表示パネルを備えて構成されて、制御部５から出力される表示信号Ｓ２に基づき、波形表示装置１の動作条件を設定するための動作条件設定画面（図示せず）や、信号波形Ｗを表示する信号波形表示画面１０（図２参照）を表示する。この場合、図２に示すように、信号波形表示画面１０は、信号波形Ｗを表示するための波形表示領域１１が規定され、この波形表示領域１１には、左右方向に時間軸を対応させ、かつ、左右方向に直交する上下方向に信号レベル（この例では、電圧値のレベル）を対応させて信号波形Ｗが表示される。なお、実際の信号波形表示画面１０には、上記の波形表示領域１１以外の各種情報表示領域が規定されて、信号波形Ｗに関連する各種の情報が表示されるが、波形表示装置１の構成、およびその波形表示方法についての理解を容易とするために、これらについての図示および説明を省略する。
【００２３】
制御部５は、波形表示装置１を総括的に制御する。具体的には、制御部５は、操作部３からの操作信号Ｓ１に応じて測定部２を制御して入力信号Ｓｉについての測定処理（入力信号Ｓｉの測定データＤを生成する処理）を実行させる。また、制御部５は、測定部２から出力される測定データＤを記憶部６に記憶させると共に、その測定データＤに基づいて信号波形Ｗを表示させるための表示信号Ｓ２を生成して表示部４に出力する。さらに、制御部５は、表示部４に信号波形表示画面１０を表示させた状態においてファンクションスイッチ３１ａ〜３１ｅのいずれかが操作されたとき（位置Ｐａ〜Ｐｅのいずれかが指定されたとき）に、指定された位置を特定可能に指定位置データＤｐを生成して記憶部６に記憶させる。また、制御部５は、操作部３からの操作信号Ｓ１に応じて（操作部３に対する操作内容に応じて）、図３に示す波形拡縮処理５０を実行し、表示部４に表示させている信号波形Ｗを時間軸方向に沿って拡大または縮小して表示させる。さらに、制御部５は、操作部３からの操作信号Ｓ１に応じて（操作部３に対する操作内容に応じて）信号波形Ｗを時間軸方向に沿ってスクロールさせる波形スクロール処理を実行する。記憶部６は、測定データＤ、指定位置データＤｐ、および制御部５の動作プログラムなどを記憶する。
【００２４】
次に、波形表示装置１による信号波形Ｗの表示処理（波形表示方法）について、添付図面を参照して説明する。
【００２５】
この波形表示装置１では、操作部３のスタートスイッチが操作されて操作信号Ｓ１が出力されたときに、制御部５が、測定部２を制御して測定処理を開始させる。この際に、測定部２は、入力信号Ｓｉをデジタル変換すると共に、設定された時間間隔でデジタル信号をサンプリングして測定データＤを生成し、生成した測定データＤを制御部５に出力する。これに応じて、制御部５は、測定部２から出力された測定データＤを記憶部６に順次記憶させる。また、制御部５は、測定データＤの記憶処理と並行して、測定データＤに基づく信号波形Ｗを表示部４に表示させる波形表示処理を実行する。
【００２６】
具体的には、制御部５は、信号波形表示画面１０における波形表示領域１１に測定データＤに基づく信号波形Ｗを表示させるための表示信号Ｓ２を生成して表示部４に出力する。これにより、測定部２から出力された測定データＤ（測定部２によって測定されている入力信号Ｓｉについての電圧値）を表す信号波形Ｗが、ほぼリアルタイムに表示部４に表示される。この場合、測定処理と並行して実行される波形表示処理では、波形表示領域１１内の信号波形Ｗが常に左向きにスクロールしている状態となる。この後、制御部５は、操作部３のストップスイッチが操作されて対応する操作信号Ｓ１が出力されるまで、上記の測定データＤの記憶処理と、信号波形Ｗの表示処理とを継続して実行する。
【００２７】
一方、この波形表示装置１では、測定部２による一連の測定処理が終了した状態において、記憶部６内の測定データＤに基づいて、任意の時点の信号波形Ｗを任意の表示倍率で波形表示領域１１内に表示させる波形表示処理を実行させることができる。具体的には、図２に示すように、所定時間分の測定データＤに基づく信号波形Ｗのうちのストップスイッチが操作される直前（測定処理が終了する直前）において測定された測定データＤに基づく信号波形Ｗを波形表示領域１１における位置Ｐ２（左端部）から位置Ｐ３（右端部の近傍）まで表示させた状態において、例えば、信号波形Ｗにおける位置Ｐ１の近傍を詳細に観察するときには、信号波形Ｗを拡大する。
【００２８】
この場合、位置Ｐ１が波形表示領域１１における時間軸方向の端部寄りの位置（中央部から離間している位置）であるため、従来の測定データ表示装置のように、波形表示領域１１の時間軸方向における中央部（位置Ｐｃ）を基点として信号波形Ｗを拡大したときには、図２に示す信号波形Ｗにおける位置Ｐ１の近傍が拡大後に非表示となるおそれがある。したがって、信号波形Ｗを拡大する操作（波形拡縮操作）に先立って、信号波形Ｗを拡大する中心（拡大中心）とすべき基点として位置Ｐ１の近傍を指定する「基点指定操作」を実行する。具体的には、波形表示領域１１の時間軸方向（この例では、左右方向）における位置Ｐａ〜Ｐｅを指定するための機能が割り付けられているファンクションスイッチ３１ａ〜３１ｅのうちから、位置Ｐ１に最も近い位置Ｐｂを指定する機能が割り付けられたファンクションスイッチ３１ｂを操作する。この際には、制御部５が、操作部３からの操作信号Ｓ１（「基点指定操作に対応する操作信号」の一例）に基づき、位置Ｐｂが指定されたと判別して、その判別結果に基づいて指定位置データＤｐを生成して記憶部６に記憶させる。
【００２９】
次いで、信号波形Ｗを拡大する処理（波形拡縮処理）の実行を指示する拡大スイッチ３３Ｕを操作する（「基点指定操作」の後に「波形拡縮操作」が行われた例）。この際には、制御部５が、操作部３からの操作信号Ｓ１（「波形拡縮操作に対応する操作信号」の一例）に応じて、図３に示す波形拡縮処理５０を開始する。この波形拡縮処理５０では、制御部５は、一例として、記憶部６に指定位置データＤｐが記憶されているか否かに基づき、この波形拡縮処理５０の開始に先立って、ファンクションスイッチ３１ａ〜３１ｅの操作により、基点として規定すべき位置が指定されているか否かを判別する（ステップ５１）。
【００３０】
この際に、本例とは相違するが、波形拡縮処理５０の開始に先立って基点指定操作が行われていない場合には、記憶部６内に指定位置データＤｐが存在しないため、制御部５は、中心とすべき基点の位置が指定されていないと判別する。この場合、制御部５は、波形表示領域１１における時間軸方向の中央部である位置Ｐｃ（「予め規定された基準位置」の一例）を基点として規定し（ステップ５２）、この基点（位置Ｐｃ）を中心として信号波形Ｗを拡大して表示させる（図示せず）。なお、位置Ｐｃを中心として信号波形Ｗを拡縮する処理については、従来の測定データ表示装置による信号波形Ｗの拡縮処理を同様のため、詳細な説明を省略する。
【００３１】
一方、波形拡縮処理５０の開始に先立って位置Ｐｂが指定されている本例では、記憶部６に指定位置データＤｐが記憶されているため、制御部５は、基点として規定すべき位置が指定されていると判別する。次いで、制御部５は、指定位置データＤｐに基づき、指定された位置Ｐｂを基点として規定すると共に（ステップ５３）、記憶部６から指定位置データＤｐを削除する。続いて、制御部５は、縮小スイッチ３３Ｄおよび拡大スイッチ３３Ｕのいずれの操作スイッチが操作されたかを判別する（ステップ５４）。この際には、拡大スイッチ３３Ｕの操作に応じて波形拡縮処理５０を開始しているため、制御部５は、基点として規定した位置Ｐｂを中心として信号波形Ｗを時間軸方向に沿って拡大し（ステップ５５）、この波形拡縮処理５０を終了する。
【００３２】
これにより、図４に示すように、信号波形Ｗにおける位置Ｐ１の近傍が位置Ｐｂに表示されたまま、信号波形Ｗが時間軸方向に拡大して表示される。したがって、拡大スイッチ３３Ｕの操作によって信号波形Ｗを拡大した後にスクロールスイッチ３２Ｌを操作して信号波形Ｗをスクロールさせることなく、位置Ｐ１近傍の信号波形Ｗを直ちに観察することが可能となる。なお、この波形表示装置１では、スクロールスイッチ３２Ｌを操作して信号波形Ｗを左向きにスクロールさせることにより、スクロールスイッチ３２Ｌの操作以前に波形表示領域１１に表示されている信号波形Ｗの測定データＤよりも後に測定された測定データＤに基づく信号波形Ｗを参照することができる。また、この波形表示装置１では、スクロールスイッチ３２Ｒを操作して信号波形Ｗを右向きにスクロールさせることにより、スクロールスイッチ３２Ｒの操作以前に波形表示領域１１に表示されている信号波形Ｗの測定データＤよりも前に測定された測定データＤに基づく信号波形Ｗを参照することができる。
【００３３】
また、図２に示すように信号波形Ｗを波形表示領域１１における位置Ｐ２（左端部）から位置Ｐ３まで表示させた状態において、既に表示されている信号波形Ｗと、信号波形Ｗにおける位置Ｐ２に対応する測定時刻よりも前に測定された測定データＤに対応する信号波形Ｗとを同時に観察するときには、信号波形Ｗを縮小する。この場合、本例では、位置Ｐ３に対応する測定時刻よりも後に測定された測定データＤが存在しないため、従来の測定データ表示装置のように、波形表示領域１１の時間軸方向における中央部（位置Ｐｃ）を基点として信号波形Ｗを縮小したときには、波形表示領域１１における右半分に信号波形Ｗが表示されない状態となる。したがって、信号波形Ｗを縮小する操作（波形拡縮操作）に先立って、信号波形Ｗを縮小する中心（縮小中心）とすべき基点として、信号波形Ｗにおける時間軸方向の端部寄りの位置（この例では、位置Ｐ３）の近傍の位置を指定する「基点指定操作」を実行する。
【００３４】
具体的には、波形表示領域１１の時間軸方向における位置Ｐａ〜Ｐｅを指定するための機能が割り付けられたファンクションスイッチ３１ａ〜３１ｅのうちから、位置Ｐ３に最も近い位置Ｐｅを指定する機能が割り付けられているファンクションスイッチ３１ｅを操作する。この際には、制御部５が、操作部３からの操作信号Ｓ１（「基点指定操作に対応する操作信号」の他の一例）に基づき、位置Ｐｅが指定されたと判別して、その判別結果に基づいて指定位置データＤｐを生成して記憶部６に記憶させる。
【００３５】
次いで、信号波形Ｗを縮小する処理（波形拡縮処理）の実行を指示する縮小スイッチ３３Ｄを操作する（「基点指定操作」の後に「波形拡縮操作」が行われた他の例）。この際には、制御部５が、操作部３からの操作信号Ｓ１（「波形拡縮操作に対応する操作信号」の他の一例）に応じて、波形拡縮処理５０を開始する。この例では、記憶部６に指定位置データＤｐが記憶されているため、制御部５は、基点として規定すべき位置が指定されていると判別する（ステップ５１）。次いで、制御部５は、指定位置データＤｐに基づき、指定された位置Ｐｅを基点として規定すると共に（ステップ５３）、記憶部６から指定位置データＤｐを削除する。
【００３６】
続いて、制御部５は、縮小スイッチ３３Ｄが操作されたと判別し（ステップ５４）、基点として規定した位置Ｐｅを中心として信号波形Ｗを時間軸方向に沿って縮小して（ステップ５６）、この波形拡縮処理５０を終了する。これにより、図５に示すように、信号波形Ｗにおける位置Ｐ３の近傍が位置Ｐｅに表示されたままの状態で、信号波形Ｗが時間軸方向に縮小されて表示される。したがって、縮小スイッチ３３Ｄの操作によって信号波形Ｗを縮小した後にスクロールスイッチ３２Ｒを操作して信号波形Ｗをスクロールさせることなく、波形表示領域１１の時間軸方向のほぼ全域に亘って信号波形Ｗが表示された状態となる。
【００３７】
このように、この波形表示装置１、および波形表示装置１による波形表示方法では、基点指定操作（この例では、波形表示領域１１に信号波形Ｗが表示された状態におけるファンクションスイッチ３１ａ〜３１ｅの操作）が行われた後に波形拡縮操作（縮小スイッチ３３Ｄおよび拡大スイッチ３３Ｕのいずれかの操作）が行われたときに、基点指定操作によって指定された位置Ｐａ〜Ｐｅのうちのいずれかの位置を基点として規定して、規定した基点を中心として信号波形Ｗを波形拡縮操作の内容に応じて時間軸方向に沿って拡大または縮小する波形拡縮処理５０を実行し、基点指定操作が行われることなく波形拡縮操作が行われたときに、予め規定された基準位置（この例では、波形表示領域１１の時間軸方向における中央部である位置Ｐｃ）を基点として規定して、規定した基点を中心として波形拡縮操作の内容に応じて波形拡縮処理５０を実行する。
【００３８】
したがって、この波形表示装置１、および波形表示装置１による波形表示方法によれば、波形表示領域１１に表示されている信号波形Ｗのうちの任意の部位を詳細に観察するために信号波形Ｗを拡大表示させる際に、基点として規定すべき位置として、信号波形Ｗにおける所望の部位の近傍の位置を指定しておくだけで、信号波形Ｗの拡大後に信号波形Ｗにおける所望の部位が非表示となることなく、波形表示領域１１内に拡大して表示されるため、波形拡縮操作の後に所望の部位を表示させるスクロール操作を行うことなく、所望の部位についての観察を短時間でしかも容易に開始することができる。また、所定時間分の測定データＤに基づく信号波形Ｗのうちの測定開始直後、または測定終了直前に測定した測定データＤに基づく信号波形Ｗを波形表示領域１１に表示させている状態において信号波形Ｗを縮小表示させる際に、基点として規定すべき位置として、信号波形Ｗにおける時間軸方向の両端部のうちのいずれかの端部寄りの位置を指定しておくだけで、信号波形Ｗの縮小後に波形表示領域１１における時間軸方向の前半部位および後半部位に信号波形Ｗが殆ど表示されない状態を招くことなく、十分に長い時間分の信号波形Ｗを波形表示領域１１に表示させることができるため、波形拡縮操作の後にスクロール操作を行うことなく、貴重な表示領域を有効活用して信号波形Ｗを表示させることができる。したがって、この波形表示装置１、および波形表示装置１による波形表示方法によれば、波形拡縮操作によって任意の信号波形Ｗを短時間でしかも容易に表示させることができる。
【００３９】
なお、位置Ｐａ〜Ｐｅのうちから基点として規定すべき位置を指定する基点指定操作の後に波形拡縮操作を実行したときに、基点指定操作によって指定された位置の近傍の信号波形Ｗを波形拡縮処理後においても同様の位置に表示させる構成の波形表示装置１、および波形表示方法について説明したが、基点指定操作が行われた後に波形拡縮操作が行われたときに、図４に示すように、基点指定操作によって指定された位置（一例として、位置Ｐｂ）を基点として波形拡縮処理５０を実行すると共に、図６に示すように、指定された位置の信号波形Ｗが基準位置（この例では、位置Ｐｃ）に位置するように信号波形Ｗを時間軸方向に沿ってスクロールさせる構成および方法を採用することもできる。この場合、信号波形Ｗを拡大または縮小する処理、および基点指定操作によって指定された位置が基準位置に位置するように信号波形Ｗをスクロールさせる処理については、いずれを先に実行してもよいし、また、両処理を同時に実行してもよい。
【００４０】
このような構成および方法を採用することにより、基点指定操作の後に波形拡縮操作を行ったときに、基点指定操作によって指定した位置の信号波形Ｗが基準位置（位置Ｐｃ）に位置した状態となるため、波形拡縮操作による信号波形Ｗの拡大量が不足して所望の表示倍率よりも小さく表示されたとき、波形拡縮操作によって信号波形Ｗを拡大し過ぎて所望の表示倍率よりも大きく表示されたとき、波形拡縮操作による信号波形Ｗの縮小量が不足して所望の表示倍率よりも大きく表示されたとき、および波形拡縮操作によって信号波形Ｗを縮小し過ぎて所望の表示倍率よりも小さく表示されたときに、縮小スイッチ３３Ｄまたは拡大スイッチ３３Ｕを操作するだけで、基準位置を基点とする波形拡縮処理５０が実行される。したがって、このような構成および方法を採用することにより、基点指定操作の後に行った波形拡縮操作による信号波形Ｗの拡大量または縮小量が所望の量とは相違するときに、基点として規定する位置を改めて指定する基点指定操作を実行することなく、波形拡縮操作を実行して所望の拡大量または縮小量となるように信号波形Ｗを拡大または縮小することができる。
【００４１】
また、波形拡縮操作に先立って基点指定操作が行われなかったときに、波形表示領域１１の時間軸方向における中央部（この例では、位置Ｐｃ）を基点として規定して信号波形Ｗを拡大または縮小する構成および方法について説明したが、「予め規定された基準位置」は、時間軸方向における中央部に限定されず、時間軸方向における両端部のいずれか一方の端部や、時間軸方向における両端部の間の任意の位置（例えば、位置Ｐａ，Ｐｂ，Ｐｄ，Ｐｅのいずれか）などの任意の位置を基準位置として規定しておくことができる。
【００４２】
さらに、信号波形Ｗを拡大または縮小する際の基点として規定する位置を縮小スイッチ３３Ｄおよび拡大スイッチ３３Ｕの操作によって指定すると共に、縮小スイッチ３３Ｄまたは拡大スイッチ３３Ｕの操作によって信号波形Ｗを拡大または縮小する波形拡縮処理５０を実行する構成の波形表示装置１を例に挙げて説明したが、基点指定操作や波形拡縮操作のための操作スイッチの構成はこれに限定されない。例えば、表示部４の正面側に、タッチパネル（一例として、感圧式タッチパネル、または静電式タッチパネル）を配設し、タッチパネルに対するタッチ操作（タップ操作）を基点指定操作とし、タッチパネルに対するドラッグ操作を波形拡縮操作として上記の波形拡縮処理５０を実行する構成を採用することもできる。また、タッチパネルに代えて、マウスやトラックボール等のドラッグ操作が可能な各種ポインティングデバイスによって上記の基点指定操作や波形拡縮操作を実行する構成を採用することもできる。
【００４３】
また、測定部２を一体的に備えた波形表示装置１を例に挙げて説明したが、波形表示装置の構成はこれに限定されず、外部装置としての測定装置によって生成された測定データＤに基づく信号波形Ｗを表示させる構成（図示せず）を採用することもできる。さらに、表示部４を一体的に備えた波形表示装置１を例に挙げて説明したが、波形表示装置の構成はこれに限定されず、外部装置としての表示装置に信号波形Ｗを表示させる構成（図示せず）を採用することもできる。
【符号の説明】
【００４４】
１  波形表示装置
３  操作部
４  表示部
５  制御部
６  記憶部
１０  信号波形表示画面
１１  波形表示領域
３１ａ〜３１ｅ  ファンクションスイッチ
３２Ｌ，３２Ｒ  スクロールスイッチ
３３Ｄ  縮小スイッチ
３３Ｕ  拡大スイッチ
５０  波形拡縮処理
Ｄ  測定データ
Ｄｐ  指定位置データ
Ｐ１〜Ｐ３，Ｐａ〜Ｐｅ  位置
Ｓ１  操作信号
Ｓ２  表示信号
Ｗ  信号波形
【図１】
2011145239.tif 000003
【図２】
2011145239.tif 000004
【図３】
2011145239.tif 000005
【図４】
2011145239.tif 000006
【図５】
2011145239.tif 000007
【図６】
2011145239.tif 000008
【図７】
2011145239.tif 000009
【図８】
2011145239.tif 000010
【図９】
2011145239.tif 000011